(57)【特許請求の範囲】
【請求項１】
電力ネットワーク上に分散配置された分散電源装置の稼動時間帯及び停止時間帯を決定する分散電源制御方法であって、
所定の時間の範囲で、所定の時間幅で規定される期間毎に前記電力ネットワークが前記分散電源装置から受入れ可能な電力量を取得する第１のステップと、
前記受入れ可能な電力量を前記分散電源装置に割り当てて当該分散電源装置の稼働時間帯および停止時間帯を制御する第２のステップと、
を有する分散電源制御方法。
【請求項２】
前記第２のステップは、前記期間毎に、前記受入れ可能な電力量を、過去の制御により停止されたことにより、本来発電することができたであろう電力量である損失発電量が多い前記分散電源装置に優先的に振り分けて当該分散電源装置を当該期間に稼動と決定し、前記稼動と決定された以外の前記分散電源装置を当該期間に停止と決定するように構成された請求項１に記載の分散電源制御方法。
【請求項３】
前記第２のステップは、前記分散電源装置が設置された場所の日射量
の実績、及び、当該分散電源装置の停止時間の実績から、前記損失発電量を算出
するように構成された請求項２に記載の分散電源制御方法。
以上
【請求項４】
前記第２のステップは、前記電力ネットワークが配置されているエリアを複数の地域エリアに分割し、前記分散電源装置を前記地域エリア毎に管理し、前記分散電源装置の稼動及び停止を前記地域エリア毎に決定するように構成された請求項１〜３いずれか一項に記載の分散電源制御方法。
【請求項５】
前記第２のステップは、前記分散電源装置を２以上定義した群のうちのいずれかに割り当て、前記分散電源装置の稼動及び停止を前記群毎に決定するように構成された請求項１〜４いずれか一項に記載の分散電源制御方法。
【請求項６】
請求項１〜５いずれか一項に記載の分散電源制御方法により、電力ネットワーク上に分散配置された分散電源装置の稼動時間帯及び停止時間帯を決定するセンターサーバと、
前記センターサーバの決定により前記分散電源装置を稼動及び停止する制御部と、を有する分散電源制御システム。
【請求項７】
前記制御部は、所定の時間幅で乱数値を発生させ、前記乱数値で前記稼動及び停止の時刻を補正するように構成された請求項６に記載の分散電源制御システム。
【発明の詳細な説明】
【技術分野】
【０００１】
本発明は、電力ネットワーク上に分散配置された分散電源装置の稼動時間帯及び停止時間帯を決定する分散電源制御方法、及び、この分散電源制御方法が実装された分散電源制御システムに関する。
【背景技術】
【０００２】
従来、電力会社と電力のやりとりをするのは、大規模な発電所を保有する特定の事業者や需要家がほとんどであり、また、電力ネットワークの安定運用の必要性から、電力ネットワークと外部の発電所とを接続するためには、接続条件の調整や所定の機器等を設置する必要があった。しかし、今後普及拡大が進む太陽光発電装置などの小型の分散電源装置が大量に導入されると、電力ネットワーク上に小規模な発電施設が点在することになり、ネットワークを安定運用するための仕組みが提案されている（例えば、特許文献１参照）。
【先行技術文献】
【特許文献】
【０００３】
【特許文献１】特開２００７−１５１３７１号公報
【発明の概要】
【発明が解決しようとする課題】
【０００４】
上述のように、太陽光発電装置などの分散電源装置が大量導入されると、電力ネットワーク上に小規模な発電施設が分散配置されることになるが、電力ネットワークの安定運用のためには、分散電源装置から電力ネットワークに流すことができる電力量を、各分散電源装置に効率的に伝達し、制御することが必要となる。
【０００５】
本発明はこのような課題に鑑みてなされたものであり、電力ネットワークの運用情報（給電情報）に基づいて、分散電源装置から受け入れ可能な電力量を決定し、この電力量を分散電源装置に割り当ててこれらの稼動時間帯及び停止時間帯を制御することができる分散電源制御方法、及び、この制御方法が実装された分散電源制御システムを提供することを目的とする。
【課題を解決するための手段】
【０００６】
前記課題を解決するために、本発明に係る分散電源制御方法は、電力ネットワーク上に分散配置された分散電源装置の稼動時間帯及び停止時間帯を決定する分散電源制御方法であって、所定の時間の範囲で、所定の時間幅で規定される期間毎に（例えば、２４時間の範囲で時間毎に）電力ネットワークが分散電源装置から受入れ可能な電力量を取得する第１のステップと、受入れ可能な電力量を分散電源装置に割り当てて分散電源装置の稼働時間帯および停止時間帯を制御する第２のステップと、を有する。
【０００７】
また、このような本発明に係る分散電源制御方法において、第２のステップは、前記期間毎に、受入れ可能な電力量を、過去の制御により停止されたことにより、本来発電することができたであろう電力量である損失発電量が多い前記分散電源装置に優先的に振り分けて当該分散電源装置を当該期間に稼動と決定し、稼動と決定された以外の分散電源装置を当該期間に停止と決定するように構成されることが好ましい。
また、このような本発明に係る分散電源制御方法において、第２のステップは、分散電
源装置が設置された場所の日射量の実績、及び、当該分散電源装置の停止時間の実績から
、損失発電量を算出することが好ましい。
【０００８】
また、このような本発明に係る分散電源制御方法において、第２のステップは、電力ネットワークが配置されているエリアを複数の地域エリアに分割し、分散電源装置を地域エリア毎に管理し、分散電源装置の稼動及び停止を地域エリア毎に決定するように構成されることが好ましい。
【０００９】
また、このような本発明に係る分散電源制御方法において、第２のステップは、分散電源装置を２以上定義した群のうちのいずれかに割り当て、分散電源装置の稼動及び停止を群毎に決定するように構成されることが好ましい。
【００１０】
また、本発明に係る分散電源制御システムは、上述の分散電源制御方法のいずれかにより、電力ネットワーク上に分散配置された分散電源装置の稼動時間帯及び停止時間帯を決定するセンターサーバと、センターサーバの決定により分散電源装置を稼動及び停止する制御部と、を有する。
【００１１】
このような本発明に係る分散電源制御システムにおいて、制御部は、所定の時間幅で乱数値を発生させ、この乱数値で稼動及び停止の時刻を補正するように構成されることが好ましい。
【発明の効果】
【００１２】
本発明に係る分散電源制御方法及び分散電源制御システムを以上のように構成すると、電力ネットワークの運用情報（給電情報）に基づいて、分散電源装置から受け入れ可能な電力量を決定し、この電力量を分散電源装置に割り当ててこれらの稼動時間帯及び停止時間帯を制御することができる。
【図面の簡単な説明】
【００１３】
【図１】分散電源制御システムの構成を示す説明図である。
【図２】分散電源制御システムの機能ブロック図である。
【図３】受入可能量情報のデータ構造を示す説明図である。
【図４】天気実績情報のデータ構造を示す説明図である。
【図５】停止実績情報のデータ構造を示す説明図である。
【図６】制御部で管理される情報のデータ構造を示す説明図であって、（ａ）は属性情報を示し、（ｂ）は運転スケジュール情報を示す。
【図７】センターサーバでの処理を示すフローチャートである。
【図８】センターサーバでの処理において用いられるデータのデータ構造を示す説明図であって、（ａ）は天気実績情報と停止実績情報とを結合した状態を示し、（ｂ）はその情報を並び替えた状態を示す。
【図９】指令情報のデータ構造を示す説明図である。
【図１０】通信装置及び分散電源装置での指令情報の受信処理を示すフローチャートである。
【図１１】更新された状態の運転スケジュール情報を示す説明図である。
【図１２】分散電源装置の稼動開始及び停止処理を示すフローチャートである。
【図１３】通信装置と分散電源装置との機能分担を変えて構成した場合の実施形態を示す説明図である。
【発明を実施するための形態】
【００１４】
（システムの全体構成）
以下、本発明の好ましい実施形態について図面を参照して説明する。まず、図１及び図２を用いて、本発明に係る分散電源制御システムの構成について説明する。この分散電源制御システム１０は、需要家に配置されている太陽光発電装置等の分散電源装置５０の運転スケジュール情報を更新することにより、これらの分散電源装置５０から電力ネットワークに流入する電力量を調整し、電力ネットワークを安定運用するものである。
【００１５】
図１に示すように、分散電源制御システム１０は、分散電源装置５０の運転スケジュール情報を更新するための指令情報を作成するセンターサーバ２０と、分散電源装置５０の各々に取り付けられ、指令情報を受信して分散電源装置５０に出力する通信装置３０と、から構成される。なお、センターサーバ２０と通信装置３０との間は、ネットワーク４０で接続され、センターサーバ２０から通信装置３０に対して指令情報の送信が可能に構成されている。ここで、ネットワーク４０は、光通信網やＡＤＳＬ等のメタル通信網等からなる有線通信で構成しても良いし、携帯電話、ＰＨＳ又は無線ＬＡＮ等からなる無線通信で構成しても良いし、有線通信と無線通信とを複合的に用いて構成しても良い。また、センターサーバ２０に対しては、電力ネットワーク全体の作動を制御するための給電計画システム６０が接続されている。
【００１６】
図２に示すように、センターサーバ２０は、分散電源装置５０に対する指令情報を生成するためのデータを処理するデータ処理部２１と、このデータに基づいて指令情報を生成する制御データ生成部２２と、指令データを通信装置３０に送信するデータ送信部２３と、を有している。また、このセンターサーバ２０は、給電計画システム６０により作成された給電計画情報に含まれる当該給電エリアにおける受け入れ可能な電力量に関する情報が記憶された受入可能量データベース２４と、過去の所定の期間内における地域エリア毎の時間帯別の日射量実績が記憶された天気実績データベース２５と、分散電源装置５０を停止させた実績を記憶する停止実績管理データベース２６と、分散電源装置５０に初期値として設定されている運転スケジュール情報を記憶するマスターカレンダーデータベース２７と、を有している。なお、データ処理部２１、制御データ生成部２２及びデータ送信部２３は、例えば、センターサーバ２０で実行されるプログラムとして実装される。また、受入可能量データベース２４、天気実績データベース２５、停止実績データベース２６及びマスターカレンダーデータベース２７は、センターサーバ２０に設けられたハードディスク等の記憶装置で構成される。
【００１７】
分散電源装置５０は、発電を行う分散電源部５６と、この分散電源部５６の作動の制御を行う制御部５７と、を有して構成され、さらに、制御部５７は、分散電源部５６の運転スケジュール情報が記憶されたカレンダーデータベース５５と、センターサーバ２０から送信された指令情報によりカレンダーデータベース５５に記憶されている運転スケジュール情報を更新する処理部５１と、カレンダーデータベース５５に記憶されている運転スケジュール情報に従って、分散電源部５６の稼動開始または停止時刻を決定するスケジュール決定部５２と、スケジュール決定部５２で決定された稼動開始または停止時刻を補正する時間調整部５３と、を有している。また、この分散電源装置５０は、上述のカレンダーデータベース５５に加えて、この分散電源装置５０の属性情報（設置されている地域の情報や、所属している群の情報等）を記憶する設定情報データベース５４を有している。なお、処理部５１、スケジュール決定部５２及び時間調整部５３は、この分散電源装置５０が有するＣＰＵで実行されるプログラムや論理回路で構成され、設定情報データベース５４及びカレンダーデータベース５５は、分散電源装置５０が有するハードディスクやフラッシュメモリ等で構成される。
【００１８】
また、通信装置３０は、センターサーバ２０から送信される指令情報を受信して分散電源装置５０に出力するものであり、この通信装置３０が有するＣＰＵで実行されるプログラムや論理回路で構成されるデータ受信部３１が設けられている。
【００１９】
（データ構造）
次に、各データベースに記憶されるデータの構造を、図３〜図６を用いて説明する。なお、以降の説明では、１つの電力会社が電力を供給するエリア、すなわち、その電力会社が管理する電力ネットワーク全体を「供給エリア」と呼び、その供給エリアにおいて電力ネットワークを管理するために分割したものを「地域エリア」と呼ぶ。なお、以降の説明では、各地域エリアには固有の番号が割り当てられて識別される。また、地域エリアに関わらず、その供給エリア内にある分散電源装置５０は予め決められた複数の「群」のうちのいずれかに割り当てられている（例えば、図では、Ａ〜Ｊの１０個の群を示しているが、その数は自由に設定可能である）。
【００２０】
受入可能量データベース２４に記憶される情報（以下、「受入可能量情報２４０」と呼ぶ）は、給電エリアにおいて、分散電源装置５０から電力ネットワークが受け入れ可能な電力量に関するものであり、所定の時間分（例えば、２４時間分）まとまって、給電計画システム６０で計画された計画値を取得して受入可能量データベース２４に記憶される。この受入可能量情報２４０は、図３に示すように、時間毎に１つのレコード２４１で構成され、レコード２４１は、時間帯を示す時間帯カラム２４２と、当該時間帯に分散電源装置５０からの電力を電力ネットワークが受入可能か否かを示す受入カラム２４３と、受入可能な場合に、全ての分散電源装置５０の総発電量のうち、何パーセントの電力を受入可能か否かを示す割合カラム２４４と、後述するように、電力ネットワークに対する分散電源装置５０の並解列時刻を補正するパラメータが記憶されるパラメータカラム２４５と、から構成される。なお、この図３においては、受入カラム２４３に設定される情報として、分散電源装置５０からの電力を受入可能なときを「○」とし、不可能なときを「×」として表現しているが、例えば、受入可能なときを「１」とし、不可能なときを「０」と表現しても良い。また、割合カラム２４４を設けずに、受入可能なときは分散電源装置５０からの電力を全て受け入れ（すなわち、１００％となる）、不可能なときは、分散電源装置５０からの電力の全てを受け入れない（すなわち、０％となる）ように構成しても良い。また、その逆でも良い。つまり、受入れカラム２４３を設けず、割合カラム２４４だけで、１００％を○とし、０％を×として管理するように構成しても良い。さらに、パラメータカラム２４５の情報は、給電計画システム６０で設定しても良いし、この給電計画システム６０から給電計画情報を受け取った後に、センターサーバ２０で設定しても良い。
【００２１】
天気実績データベース２５に記憶される天気実績情報２５０は、図４に示すように、地域エリア毎に所定の期間分の過去の天気実績として時間毎の日射量の実績が記憶されている。この天気実績情報２５０は、実績の年月日を示す年月日カラム２５１と、地域エリアを示す地域カラム２５２と、当該地域エリアにおける日射量の実績を日射量カラム２５３と、から構成される。なお、日射量の実績は、例えば気象予報会社のデータが用いられ、１〜０の範囲の値が上記地域エリア毎に格納されている（例えば、日射量データとして、１．２ＭＪ／ｍ2や０．５Ｗ／ｍ2等の実数、あるいは天気を数値化して快晴時の値を１とし、日射量に応じて小さな値とする）。また、日射量カラム２５３は、例えば、０時から２３時までの２４時間分のデータが時間毎に格納されるが、日中の時間帯でだけでも良い。
【００２２】
停止実績管理データベース２６に記憶される停止実績情報２６０は、地域エリア毎及びその地域エリアにおける群毎に、分散電源装置５０を停止させた最終日と、過去の所定の期間における当該地域エリア及び群に属する分散電源装置５０を停止させた日毎の時間の実績と、を記憶するものである。この停止実績情報２６０は、図５に示すように、地域エリアを示す地域カラム２６１と、群を示す群カラム２６２と、最終停止日を示す最終停止日カラム２６３と、所定の期間における日毎・時間帯毎の停止時間を示す停止時間カラム２６４と、から構成されている。
【００２３】
マスターカレンダーデータベース２７は、この分散電源制御システム１０により制御を行う分散電源装置５０に設定されている運転スケジュール情報の初期値が記憶されている。なお、運転スケジュール情報のデータ構造については、後述する。ここで、運転スケジュール情報の初期値は、例えば、供給エリア、地域エリア及び群毎に同一の情報が設定されている場合には、その地域エリア及び群毎にマスターカレンダーデータベース２７に記憶しても良いし、個々の分散電源装置５０毎に識別番号を付けて、その識別情報をキーに全ての運転スケジュールを個別に記憶しても良い。
【００２４】
設定情報データベース５４は、分散電源装置５０が設置されている供給エリア、地域エリアや、その分散電源装置５０に割り当てられた群等の属性情報５４０を記憶するものである。この属性情報５４０は、図６（ａ）に示すように、地域エリアが記憶される地域カラム５４１と、群が設定される群カラム５４２と、から構成される。なお、これらの情報は、出荷時、若しくは、需要家に設置したときに設定される。
【００２５】
また、カレンダーデータベース５５は、各分散電源装置５０の運転スケジュール情報５５０を日単位で、且つ、時間帯毎に記憶するものである（あるいは日単位毎に記憶しても良い）。この運転スケジュール情報５５０は、図６（ｂ）に示すように、スケジュール日を表すスケジュール日カラム５５１を有し、さらに、このスケジュール日カラム５５１毎に設けられた、時刻カラム５５２、分散電源装置５０の稼動の可又は不可が記憶される運転状態カラム５５３、及び、この分散電源装置５０の並解列時刻を調整するためのパラメータを記憶するパラメータカラム５５４が時間帯毎に１レコードとして構成されている。なお、分散電源装置５０が設置されたときには、パラメータカラム５５４に対して、初期値が設定される。また、本実施形態では、運転状態カラム５５３は、稼動可能なときを「○」とし、稼動不可能のときを「×」が設定されている。
【００２６】
（処理の説明）
それでは、このような構成の分散電源制御システム１０における処理について、図７〜図１２を用いて説明する。なお、以降の説明では、センターサーバ２０は、翌日分の分散電源装置５０に対する指令情報を生成する場合について説明する。すなわち、センターサーバ２０は、毎日、翌日分の指令情報を生成するように構成されている。但し、本発明がこのような構成に限定されることはなく、センターサーバ２０は、例えば、１週間分の運転スケジュール情報に対する指令情報を１週間毎に生成するように構成しても良い。また、以降の説明では、本発明の分散電源制御システム１０により、１つの供給エリアに属する分散電源装置５０の制御を行い、また、この供給エリアを管理する１つの給電計画システム６０から給電計画情報を受け取る場合について説明する。
【００２７】
（センターサーバにおける処理）
まず、センターサーバ２０の処理について説明する。なお、センターサーバ２０の処理を図７に示す。センターサーバ２０は、所定の時刻になると、データ処理部２１を起動し、天気実績データベース２５から、所定の期間分（例えば、過去１年分）の地域エリア毎でかつ時間毎の日照量実績を取得し、また、停止実績管理データベース２６から地域エリア及び群毎の最終停止日及び所定の期間分（例えば、過去１年分）の日毎の停止時間を取り出して地域エリア及び群毎に損失発電量を計算し、図８（ａ）に示すように、地域エリア及び群毎にこれらのデータを結合する（ステップＳ１００）。なお、損失発電量とは、上記処理で取得された所定の期間の各日において、日照量と停止時間とを積算し、さらに所定の期間でのその結果の総和を求めたものであって、本来発電できた電力量に相当する値をその需要家の損失と見なすものである。
【００２８】
そして、このようにして結合したデータを、図８（ｂ）に示すように、時間帯毎に、まず、損失発電量の降順に並び替え、次に、最終停止日の近い順に並び替える（ステップＳ１０１）。すなわち、損失発電量の多い地域エリア及び群がデータの上位に位置し、その中で、最終停止日の近い地域エリア及び群がデータの上位に位置することになる。
【００２９】
次に、センターサーバ２０は、制御データ生成部２２を起動し、上述のようにデータ処理部２１で結合され、並び替えられたデータを受け取り、さらに、受入可能量データベース２４から、翌日の受入可能量情報を読み出す。そしてこれらの情報から、時間帯毎に電力ネットワークが受入れることができる電力量を算出し、データ処理部２１で並べ替えられたデータの上から順番に、この電力量を割り当てる（ステップＳ１０３）。例えば、供給エリア内の分散電源装置５０を１００個の群に割り当てた場合について考える。図３に示すように、１０時台の受入れ可能な割合は６０％とする場合、１００個の群に分けたときの１群当たりは、総出力量の１％に相当するため、６０群に割り当てることができる。そのため、図８（ｂ）に示す、上述の並べ替えられたデータにおいて、損失電力量の多い方から６０群を出力対象（発電受入れ対象）とする。そして、このようにして割り当てられた情報から、各分散電源装置５０に送信する指令情報２９０を生成する（ステップＳ１０４）。このとき、分散電源装置５０の制御部５７に初期値として設定されている運転スケジュール情報をマスターカレンダーデータベース２７から読み出して、指令情報２９０を生成する。すなわち、受入可能として運転可を割り当てた地域エリア、群及び時間帯以外については、マスターカレンダーデータベース２７に記憶されている運転スケジュール情報を利用する。例えば、図９は、指令情報２９０のデータ構造を示しており、地域エリアを示す地域カラム２９１と、指令日を示す指令日カラム２９２と、時間帯及び群毎の運転情報２９３と、から構成される。ここで、運転情報２９３は、時間帯を示す時間帯カラム２９４と、群毎の稼動可又は不可を示す稼動可不可情報２９５と、並解列時刻を調整するためのパラメータカラム２９６と、が１レコードで構成されている。なお、図９において、稼動可不可情報２９５は、「○」が稼動可能を示し、「×」が稼動不可能を示す。また、並解列時刻を調整するためのパラメータは、受入可能量情報２４０に記憶されている値が設定される。また、ある供給エリアに対し、他の供給エリアを含む複数の供給エリアに関する情報を一括して送信し、分散電源装置５０に設定される供給エリア情報を元に当該供給エリアに関する情報を抽出することも可能である。
【００３０】
このようにして、制御データ生成部２２により指令情報２９０が生成されると、データ送信部２３により通信装置３０に送信される（ステップＳ１０５）。なお、指令情報２９０は、地域エリア毎にその地域エリアに属する通信装置３０に送信しても良いし、地域エリア毎に生成された情報を供給エリアの単位で一つの情報にまとめ、そのまとめた情報を供給エリアに属する全ての通信装置３０に送信しても良い（以降の説明では、後者の「まとめて送信する」場合について説明する）。
【００３１】
（通信装置及び分散電源装置における受信処理）
次に、通信装置３０及び分散電源装置５０の処理について説明する。なお、通信装置３０及び分散電源装置５０の処理を図１０に示す。センターサーバ２０から指令情報２９０が送信されると、通信装置３０のデータ受信部３１は、この指令情報２９０を受信し、分散電源装置５０の処理部５１に出力する（ステップＳ１１０）。そして、処理部５１は、この指令情報２９０の中から、受信した分散電源装置５０の属する地域エリア及び群のデータを抽出し、その抽出した情報に基づいてカレンダーデータベース５５の運転スケジュール情報５５０を更新する（ステップＳ１１１）。なお、各分散電源装置５０が属する地域エリア及び群は、上述のように、設定情報データベース５４に記憶されており、処理部５１は、この情報を参照する。図１１は、上述の指令情報２９０により更新された状態のスケジュール情報５５０を示している。図６に示すように、初期のスケジュール情報では、２０１０年５月７日の９時から１１時までは稼動不可となっていたが、指令情報２９０に基づいて稼動可に書き換えられている。
【００３２】
（分散電源装置の作動の制御）
分散電源装置５０は、カレンダーデータベース５５に記憶されている運転スケジュール情報５５０に基づいて、分散電源部５６の稼動及び停止を制御する。具体的には、図１２に示すように、分散電源装置５０のスケジュール決定部５２はカレンダーデータベース５５から運転スケジュール情報５５０を読み出し（ステップＳ１２０）、稼動可及び不可の状態が変化する時刻において、分散電源部５６の稼動若しくは停止を切り替えると判断する（ステップＳ１２１）。例えば、図１１において、２０１０年５月７日のスケジュールは、１１時までが稼動可能で、１２時以降稼動不可能となっている。そのため、スケジュール決定部５２は、１２時において分散電源部５６の稼動を停止すると決定し、運転スケジュール情報５５０として設定されているパラメータとともに、時間調整部５３に送信する。時間調整部５３は、スケジュール決定部５２から送信されたパラメータに基づいて、−３０［分］から＋３０［分］までの間の乱数値を発生させ、決定された時刻にこの乱数値を加えることにより、稼動開始（並列）又は稼動停止（解列）時刻を補正する（ステップＳ１２２）。そして、この補正された時刻に分散電源部５６の稼動開始又は停止を行う（ステップＳ１２３）。例えば、スケジュール決定部５２により決定された時刻が１２時で、時間調整部５３により発生された乱数が−１５［分］であったときは１１時４５分に稼動を停止し、乱数が＋２０［分］であったときは１２時２０分に停止する。
【００３３】
以上説明したように、太陽光発電装置のような分散電源装置５０から電力ネットワークに流れる電力は、天候や需要家の電力使用の状態により変化するため、このような分散電源装置５０の設置台数が増えると電力ネットワークの安定運用が困難になる。そのため、上述のように、給電計画システム６０による給電計画情報に基づいて分散電源装置５０から受入れることができる電力量を決定し、この受入れ可能電力量を超えないように分散電源装置５０の作動を制御することにより、電力ネットワークの安定運用を実現することができる。
【００３４】
このとき、運転を停止させられた分散電源装置５０を停止実績管理データベース２６で管理し、日射量と停止時間から算出される損失発電量が大きく、かつ、前回停止させられたときから日数が短いものから優先的に稼動を割り当てることにより、分散電源装置５０を設置する需要家、特に稼動停止の制御がされた需要家の不公平感を緩和することができる。
【００３５】
また、指令情報２９０やスケジュール情報５５０は、時間帯毎に管理されており、分散電源装置５０が同じ時刻に稼動開始又は停止をすると電力ネットワークの安定性を確保することが難しくなる。そのため、パラメータを元に、各分散電源装置５０が独自に乱数を発生し、稼動開始又は停止する時刻（電力ネットワークに並列する若しくは解列する時刻）を分散させることにより、分散電源装置５０の稼動開始又は停止による電力ネットワークの安定性を保つことができる。また、全ての地域エリアを対象に指定する特別な地域エリア番号を付して送信することで、ある供給エリアにおいて、全ての地域のエリアに同一情報を一斉に効率良く配信することもできる。また、全供給エリアにおいてもこれと同様に、全ての供給エリアに特別な番号を付すことにより、全供給エリアに対して一斉に配信することもできる。
【００３６】
なお、以上の説明において、各群に割り当てられる分散電源装置５０の台数や、その群における出力量の合計は、均一でなくても良い。また、複数の供給エリアに対して上記制御を行う場合には、供給エリア毎に給電計画システムから受入可能量を取得し、供給エリア毎に上記処理を実行することで実現できる。あるいは、各地域エリア及び群に割り当てられた分散電源装置５０の台数と定格値の平均値とから、その地域エリア及び群の出力量小計を算出しても良い。また、以上の説明では、時間帯毎に分散電源装置５０の稼動及び停止を決定していたが、日単位で稼動及び停止を決定するように構成することも可能である。
【００３７】
さらに、以上の説明では、過去の日照量に関する情報を天気実績データベース２５に記憶し、また、日毎の停止実績を停止実績管理データベース２６に記憶することで、これらの情報から損失電力量を算出して、稼動を割り当てる分散電源装置５０を決定したが、本発明がこの決定方法に限定されることはない。例えば、稼動を割り当てる日の天気予報に関する情報を取得し、天気の予報の良い（晴れの予報の）地域エリア及び群に属する分散電源装置５０に優先的に稼動を割り当てることにより、これらの分散電源装置５０を効率的に運用することもできる。
【００３８】
また、以上の説明では、分散電源装置５０において発電機能を有する分散電源部５６の作動をスケジュール情報に基づいて制御する制御部５７を、この分散電源装置５０に設けた場合について説明したが、例えば、図１３に示すように、これらの機能を通信装置３０に設けることも可能である。なお、この図１３では、上述の説明と同じ機能については同一の符合を付し、詳細な説明を省略する。あるいは、通信装置３０に実装しているデータ受信部３１を分散電源装置５０の制御部５７の機能として実装することにより、通信装置３０を無くした構成とすることも可能である。
【符号の説明】
【００３９】
１０  分散電源制御システム
２０  センターサーバ
５０  分散電源装置
５７  制御部
【図１】
0005527712.tif 000002
【図２】
0005527712.tif 000003
【図３】
0005527712.tif 000004
【図４】
0005527712.tif 000005
【図５】
0005527712.tif 000006
【図６】
0005527712.tif 000007
【図７】
0005527712.tif 000008
【図８】
0005527712.tif 000009
【図９】
0005527712.tif 000010
【図１０】
0005527712.tif 000011
【図１１】
0005527712.tif 000012
【図１２】
0005527712.tif 000013
【図１３】
0005527712.tif 000014